(57)【特許請求の範囲】
【請求項１】
第１基板と、第１基板上に配置される第１駆動電極及び第２駆動電極と、前記第１基板に対向して配置される第２基板と、該第２基板上に配置された第３駆動電極と、第１基板と第２基板間に充填された透明絶縁性液体と、該透明絶縁性液体中に分散された複数の泳動粒子とを備えた電気泳動表示装置を用いた表示方法であって、前記泳動粒子が前記第１駆動電極及び前記第２駆動電極間で移動する第１の過程と、前記泳動粒子が、前記第１駆動電極及び前記第２駆動電極から、第２基板面の前記第１駆動電極及び前記第２駆動電極とそれぞれ対向する部分に転写される第２の過程とを有して表示を行なうことを特徴とする電気泳動表示方法。
【請求項２】
前記泳動粒子を前記第２基板上に配置された第３駆動電極に吸着させるために、正帯電の泳動粒子の場合には、
「第１駆動電極及び第２駆動電極の電位＞第３駆動電極の電位」
の関係を満たし、負帯電の泳動粒子の場合には、
「第１駆動電極及び第２駆動電極の電位＜第３駆動電極の電位」
の関係を満たす期間が含まれるように、前記第１駆動電極、第２駆動電極及び第３駆動電極に電圧を印加することを特徴とする請求項１記載の電気泳動表示方法。
【請求項３】
再び表示の書き込みを行う場合、第１段階として前記第３駆動電極に吸着した前記泳動粒子を離し、第２段階として該泳動粒子を前記第１駆動電極及び前記第２駆動電極間で移動させ、第３段階として該第３駆動電極に該泳動粒子を吸着させて表示を行なうことを特徴とする請求項１または２記載の電気泳動表示方法。
【請求項４】
前記泳動粒子を前記第２基板上に配置された第３駆動電極から離すために、正帯電の泳動粒子の場合には、
「第１駆動電極及び第２駆動電極の電位＜第３駆動電極の電位」
の関係を満たし、負帯電の泳動粒子の場合には、
「第１駆動電極及び第２駆動電極の電位＞第３駆動電極の電位」
の関係を満たす期間が含まれるように、前記第１駆動電極、第２駆動電極及び第３駆動電極に電圧を印加することを特徴とする請求項１乃至３のいずれかの項に記載の電気泳動表示方法。
【請求項５】
再び表示の書き込みを行う場合、第１段階として前記第３駆動電極に吸着した前記泳動粒子を離すと同時に前記第１駆動電極上あるいは前記第２駆動電極上に移動させ、第２段階として該第２基板側に該泳動粒子を吸着させて表示を行なうことを特徴とする請求項１乃至４のいずれかの項に記載の電気泳動表示方法。
【請求項６】
第１基板と、第１基板上に配置される第１駆動電極及び第２駆動電極と、前記第１基板に対向して配置される第２基板と、該第２基板上に配置された第３駆動電極と、第１基板と第２基板間に充填された透明絶縁性液体と、該透明絶縁性液体中に分散された複数の泳動粒子とを備えた電気泳動表示装置において、前記第２基板上に配置された第３駆動電極面に、前記第１駆動電極と前記第２駆動電極との境界部と対向して設置された障壁を有し、前記泳動粒子が前記第１駆動電極及び前記第２駆動電極から、第２基板面の前記第１駆動電極及び前記第２駆動電極とそれぞれ対向する部分に障壁を介して転写されることを特徴とする電気泳動表示装置。
【請求項７】
第１基板と、第１基板上に配置される第１駆動電極及び第２駆動電極と、前記第１基板に対向して配置される第２基板と、該第２基板上に配置された第３駆動電極と、第１基板と第２基板間に充填された透明絶縁性液体と、該透明絶縁性液体中に分散された複数の泳動粒子とを備えた電気泳動表示装置において、前記第２基板上に配置された第３駆動電極面に、該帯電泳動粒子と逆極性の表面電荷を定常的に帯電した荷電膜を有することを特徴とする電気泳動表示装置。
【請求項８】
前記第１駆動電極、第２駆動電極及び第３駆動電極を被覆するように配置される絶縁層を有する請求項６または７に記載の電気泳動表示装置。
【請求項９】
前記第１駆動電極、第２駆動電極、第３駆動電極、第１基板、第２基板及び絶縁層の少なくとも１つが、前記泳動粒子と光学的特性が異なる色に着色されている請求項６乃至８のいずれかの項に記載の電気泳動表示装置。
【請求項１０】
前記第１基板及び前記第２基板がポリマーフィルムである請求項６乃至９のいずれかの項に記載の電気泳動表示装置。
【請求項１１】
前記泳動粒子の平均粒径が０．１μｍ〜１０μｍである請求項６乃至１０のいずれかの項に記載の電気泳動表示装置。
【請求項１２】
前記第１基板及び前記第２基板の距離が５００μｍ以下である請求項６乃至１１のいずれかの項に記載の電気泳動表示装置。
【請求項１３】
前記第１基板及び前記第２基板の距離が１００μｍ以下である請求項６乃至１２のいずれかの項に記載の電気泳動表示装置。
【請求項１４】
前記第１基板及び前記第２基板の距離が前記泳動粒子の粒径以上である請求項６乃至１１のいずれかの項に記載の電気泳動表示装置。
【請求項１５】
前記第１基板及び前記第２基板の距離が前記泳動粒子の粒径の２倍以上である請求項６乃至１１及び１４のいずれかの項に記載の電気泳動表示装置。
【請求項１６】
前記第１基板及び前記第２基板の距離が前記泳動粒子の粒径の５倍以上である請求項６乃至１１及び１４，１５のいずれかの項に記載の電気泳動表示装置。
【請求項１７】
前記第１駆動電極及び前記泳動粒子が黒色あるいは暗黒色である請求項６乃至１６のいずれかの項に記載の電気泳動表示装置。
【発明の詳細な説明】
【０００１】
【発明の属する技術分野】
本発明は、帯電泳動粒子を移動させて表示を行う電気泳動表示方法及び電気泳動表示装置に関する。
【０００２】
【従来の技術】
近年、情報機器の発達に伴い、各種情報のデータ量は拡大の一途をたどり、情報の出る力も様々な形態を持ってなされている。一般に、情報の出力は、ブラウン管や液晶などを用いたディスプレイ表示とプリンタなどによる紙へのハードコピー表示とに大別できる。ディスプレイ表示においては、低消費電力且つ薄型の表示装置のニーズが増しており、中でも液晶表示装置は、こうしたニーズに対応できる表示装置として活発な開発が行われ商品化さてれいる。
【０００３】
しかしながら、現在の液晶表示装置には、画面を見る角度や、反射光により、画面上の文字が見づらく、また光源のちらつき・低輝度等から生じる視覚へ負担が、未だ十分に解決されていない。またブラウン管を用いたディスプレイ表示では、コントラストや輝度は液晶表示と比較して十分あるものの、ちらつきが発生するなど後述するハードコピー表示と比較して十分な表示品位があるとはいえない。また装置が大きく重いため携帯性が極めて低い。
【０００４】
一方、ハードコピー表示は情報の電子化により不要になるものと考えられていたが、実際には依然膨大な量のハードコピー出力が行われている。その理由として、情報をディスプレイ表示した場合、前述した表示品位に係わる問題点に加えて、その解像度も一般的には最大でも１２０ｄｐｉ程度と紙へのプリント・アウト（通常３００ｄｐｉ以上）と比較して相当に低い。従って、ディスプレイ表示ではハードコピー表示と比較して視覚への負担が大きくなる。その結果、ディスプレイ上で確認可能であっても、一旦ハードコピー出力することがしばしば行われることになる。また、ハードコピーされた情報は、ディスプレイ表示のように表示領域がディスプレイのサイズに制限されることなく多数並べたり、また複雑な機器操作を行わずに並べ替えたり、順に確認していくことができることも、ディスプレイ表示可能であってもハードコピー表示が併用される大きな理由である。さらには、ハードコピー表示は、表示を保持するためのエネルギーは不要であり、情報量が極端に大きくない限り、何時でもどこでも情報を確認することが可能であるという優れた携帯性を有する。
【０００５】
このように動画表示や頻繁な書き換えなどが要求されない限り、ハードコピー表示はディスプレイ表示と異なる様々な利点を有するが、紙を大量に消費するという欠点がある。そこで、近年においては、リライタブル記録媒体（視認性の高い画像の記録・消去サイクルが多数回可能でり、表示の保持にエネルギーを必要としない記録媒体）の開発が盛んに進められている。こうしたハードコピーの持つ特性を継承した書き換え可能な第３の表示方式をぺーパーライクディスプレイと呼ぶことにする、
ぺーパーライクディスプレイの必要条件は、書き換え可能であること、表示の保持にエネルギーを要さないか若しくは十分に小さいこと（メモリー性) 、携帯性に優れること、表示品位が優れていることなどである。現在、ぺーパーライクディスプレイとみなせる表示方式としては、例えば、サーマルプリンターヘッドで記録・消去する有機低分子・高分子樹脂マトリックス系( 例えば、特開昭５５−１５４１９８号公報、特開昭５７−８２０８６号公報）を用いた可逆表示媒体を挙げることができる。この系は一部プリペイドカードの表示部分として利用されているが、コントラストが余り高くないことや、記録・消去の繰り返し回数が１５０〜５００回程度と比較的少ないなどの課題を有している。
【０００６】
また別のぺーパーライクディスプレイとして利用可能な表示方式として、Ｈａｒｏｌｄ  Ｄ．  Ｌｅｅｓ等により発明された電気泳動表示装置（米国特許第３６１２７５８号明細書) が知られている。他にも、特開平９−１８５０８７号公報に電気泳動表示装置が開示されている。この表示装置は、絶縁性液体中に帯電した泳動粒子を分散させてなる分散系と、この分散系を挟んで対峙する一対の電極からなっている。電極を介して分散系に電圧を印加することにより、帯電した泳動粒子の電気泳動性を利用して、該泳動粒子を粒子自身が持つ電荷と反対極性の電極側に静電力により吸着させるものである。表示は、この泳動粒子を着色して、その色と染色された絶縁性液体の色の違いを利用して行われる。つまり、泳動粒子が観測者に近い光透過性の第１の電極表面に吸着させた場合には泳動粒子の色が観察され、逆に観測者から遠い第２の電極表面に吸着させた場合には、泳動粒子と光学的特性が異なるように染色された絶縁性液体の色が観察される。
【０００７】
しかしながら、このような電気泳動装置では、絶縁性液体に染料やイオンなどの発色材を混合しなくてはならず、このような発色材の存在は、新たな電荷の授受をもたらすために電気泳動動作において不安定要因として作用しやすく、表示装置としての性能や寿命、安定性を低下させる場合があった。
【０００８】
係る問題を解決するために、第１駆動電極及び第２駆動電極からなる電極対を同一基板上に配置し、観察者から見て泳動粒子を水平に移動させる表示装置が、特開昭４９−５５９８号公報、及び特開平１１−２０２８０４号公報において提案された。電気泳動特性を利用して、透明な絶縁性液体中で泳動粒子を電圧印加により、第１駆動電極面及び第２駆動電極面間を、基板面と水平に移動させることによって表示を行うものである。
【０００９】
水平移動型電気泳動表示装置においては絶縁性液体は透明であって、観察者側から見て、第１駆動電極と第２駆動電極が異なる着色を呈し、いずれか一方の色を泳動粒子の色と一致させてある。例えば第１駆動電極の色を黒色、第２駆動電極の色を白色、泳動粒子の色を黒色とすると、泳動粒子が第１電極上に分布する場合には、第２駆動電極が露出し白色を呈し、泳動粒子が第２駆動電極上に分布する場合には泳動粒子色である黒色を呈す。
【００１０】
ところで、画素がマトリックス状に配置された表示装置を、電気的にアドレスする方式としては大別して、アクティブマトリックス方式と単純マトリックス方式の２つがある。
【００１１】
アクティブマトリックス方式では、各画素それぞれに対して薄膜トランジスタ（ＴＦＴ）などのスイッチング素子を形成し、各画素に印加する電圧を画素ごとに独立に制御する。この方式を用いれば、水平移動型電気泳動表示装置を、高い表示コントラストで駆動することが可能である。しかしながら一方で、アクティブマトリックス方式はプロセスコストが高い、薄膜トランジスタのプロセス温度が高くポリマー基板上への形成が困難であるといった問題を抱える。この問題は、低コストでフレキシブルなディスプレイを目指すペーパーライクディスプレイにおいては特に重要である。これらの問題を解決するために、印刷プロセスが適用可能なポリマー材料による薄膜トランジスタの形成プロセスが提案されているが実用化の可能性は未だ未知数である。
【００１２】
単純マトリックス方式は、アドレスのために必要な構成要素がＸ−Ｙ電極ラインのみであるから低コストでありポリマー基板上への形成も容易である。選択画素に対して書き込み電圧を印加する場合は、選択画素を交点とするＸ電極ラインとＹ電極ラインに対して、書き込み電圧に相当する電圧を印加すればよい。ところが、一般に電気泳動表示装置を単純マトリックス方式により駆動しようとすると、選択された画素の周辺画素まで一部書き込まれてしまう、いわゆるクロストーク現象が発生し、表示コントラストが著しく劣化してしまう。これは電気泳動表示装置が、書き込み電圧に対して明確な閾値特性を持たないために必然的に発生する問題である。
【００１３】
係る問題に対して、原理的に閾値を持たない電気泳動表示において、表示電極に加えて制御電極を導入し、３電極構造によって単純マトリックス駆動を実現する提案がなされている。３電極構造に関する提案は殆どが上下電極型電気泳動表示に関してなされたものであり、例えば特開昭５４−０８５６９９号公報（米国特許第４２０３１０６号明細書）がある。
【００１４】
水平移動型電気泳動表示装置における３電極構造の提案は唯一、特表平８−５０７１５４号公報（米国特許第５３４５２５１号明細書）においてなされている。但し特表平８−５０７１５４号公報においては、分散液は透明ではなく着色されていると考えられ、前述の特開昭４９−５５９８号公報及び特開平１１−２０２８０４号公報及び本発明が対象とする、分散液が透明であることを特徴とする水平移動型電気泳動表示装置とは異なるものである。
【００１５】
特表平８−５０７１５４号公報では２つの構成が開示されている（図１７）。第１の構成（図１７（ａ））は水平移動型電気泳動装置の第２基板２側に第３の電極として制御電極１４が配置されるタイプであり、第２の構成（図１７（ｂ））は第１基板１側の第１駆動電極３と第２駆動電極４との間に第３の電極として制御電極１４が配置されるタイプである。
【００１６】
第１構成、第２構成いずれのタイプにおいても、１画素内には、複数のライン電極が集合したフォーク状第１駆動電極３と、第１駆動電極３の各ライン間に配置された複数のライン電極が集合したフォーク状第２駆動電極４が第１基板上に配置される。第２駆動電極４はクロム厚膜によるステップ１５上に配置され、その結果、第１駆動電極３と第２駆動電極４の境界に約０．３μｍの段差２２が形成されている。第１構成においては制御電極１４は、第１基板１に対して２５μｍ〜１１６μｍの間のいづれかの値の間隔で対向配置された第２基板２上の画素内全面に形成され、第２構成においては制御電極１４は、第１基板上の、第１駆動電極３と第２駆動電極４の各ライン間に配置される。図１７においては説明の便宜上、第１駆動電極３、第２駆動電極４ともに１ラインで構成される場合について示してある。
【００１７】
図１８および図１９を用いて特表平８−５０７１５４号公報における書き込み動作について説明する。図１８に泳動粒子の動作状態、図１９に印加パルス及び反射率変化について示す。セル構成は図１７（ａ）と同じ（但し１画素）である。
【００１８】
尚、以下の説明で述べる印加電圧値は我々が実際に行なった実験によって求められた条件であり、必ずしも特表平８−５０７１５４号公報記載の条件とは一致していない。これは主に使用する泳動粒子の帯電極性、帯電量などの物性値によるところが大きい。以下の説明では、後に述べる本発明の動作説明との比較を容易にするため、我々が使用した泳動粒子での実験結果における印加電圧値を記載する。
【００１９】
また特表平８−５０７１５４号公報においては、絶縁性液体として着色液体を使用していると考えられるが、以下の説明では後に述べる本発明の動作説明との比較を容易にするため透明な絶縁液体を用い、表示コントラストの発現方法についても泳動粒子を黒色、第１表示電極（駆動電極）を黒色、第２表示電極（駆動電極）を白色とする本発明の実施形態と同様の方式の構成について説明を行なう。
【００２０】
泳動粒子６の帯電極性を正、第１駆動電極３をコモン電極とし、第２駆動電極４の接地電位を基準にして第１駆動電極３に駆動電圧Ｖｄ、制御電極１４に制御電圧Ｖｃを印加するものとする。
【００２１】
期間Ｔａは白表示保持状態である。図１８中、矢印はセル内の電界ベクトルの概要を示す。第１駆動電極３上に集められた泳動粒子６は、第１駆動電極３と第２駆動電極４間に設けられた段差２２によって第２駆動電極４側への移動を抑制され、かつ第１駆動電極３と制御電極１４間に印加される制御電圧Ｖｃ＝＋２５０Ｖによって第１基板側に押え込まれることによって安定し、反射率（Ｒ）７０％程度の白表示状態が保持される。保持状態において印加される駆動電圧Ｖｄ＝＋５Ｖは、黒表示状態において、段差近傍の泳動粒子が第１駆動電極側へ移動しやすくなる傾向を抑制する役割を果たしている。
【００２２】
書き込み期間Ｔｂにおいては、駆動電圧Ｖｄ＝＋５０Ｖ、制御電圧Ｖｃ＝＋５０Ｖを印加する。第１駆動電極３と制御電極１４とは同電位に設定されるため制御電圧による押え込みは解除され、全ての泳動粒子６は駆動電極面に沿って段差を乗り越えて第２駆動電極側に水平移動し、反射率Ｒは急激に減少する。
【００２３】
黒表示保持状態である期間Ｔｃでは、制御電圧Ｖｃ＝＋２５０Ｖによって第１基板側に押し付けられ、反射率５％程度の黒表示状態が保持される。
【００２４】
続いて、特表平８−５０７１５４号公報において開示された単純マトリックス駆動方法について図２０および図２１を用いながら説明する。Ｘ方向にｍ列、Ｙ方向にｎ行の画素が配列したｍ×ｎマトリックスを有する水平移動型電気泳動表示装置を考える。画素配列に沿って、制御電極１４に配線されたｍ本のデータ信号電極ラインが列方向に、第１駆動電極３に配線されたｎ本の走査信号電極ラインが行方向に、互いに直交するように配列されている。第２駆動電極４はコモン電極とし接地電位に固定する。
【００２５】
まず全ての走査信号電極ラインにＶｄ＝−５０Ｖ、全てのデータ信号電極ラインにＶｃ＝０Ｖを印加し、全ての泳動粒子６を第１駆動電極上に集める（図２０（ａ）、全面消去) 。次にＹ方向に上から順番に走査信号電極ラインを選択し書き込みを行なう。選択期間（書き込み期間）では、走査信号電極ラインにＶｄ＝＋５０Ｖを印加し、選択画素に相当するデータ信号電極ラインにＶｃ＝＋５０Ｖ、非選択画素に相当するデータ信号電極ラインにＶｃ＝＋２５０Ｖを印加する。選択画素では第１駆動電極・第２駆動電極間に印加される駆動電圧Ｖｄ＝＋５０Ｖによって、泳動粒子が段差を乗り越え第２駆動電極側に移動し書き込みが行なわれる（図２０（ｂ））。非選択画素においても駆動電圧Ｖｄ＝＋５０Ｖが印加されているが、第１の構成においては、泳動粒子はＶｃ＝＋２５０Ｖの制御電圧によって第１駆動電極３に押し付けられ移動（書き込み）が阻止される（図２０（ｃ））。
【００２６】
一方、非選択期間においては走査信号電極ラインにＶｄ＝＋５Ｖが印加され、データ信号電極ラインにはＶｃ＝＋５０Ｖまたは＋２５０Ｖが印加される（図２１（ｄ）〜（ｇ））。いずれの場合も、泳動粒子は制御電圧によって第１基板面に押し付けられており表示状態は変化しない。
【００２７】
このようにして、閾値特性を持たない水平移動型電気泳動装置において、単純マトリックス駆動法を用いた表示書き込みが実現される。
【００２８】
【発明が解決しようとする課題】
しかしながら、特表平８−５０７１５４号公報で開示された水平移動型電気泳動装置は次のような問題点を抱えていた。
【００２９】
第１の構成においては、ステップ１５による段差をあまり高く設定できない、という制限がある。段差を高くしすぎると、選択期間における帯電泳動粒子６の移動において、一部の泳動粒子６が段差を越えられずに段差底部に残留してしまい、表示コントラストが低下する（図２２（ａ））。段差底部への残留を引き起こさないためには、ステップ１５の高さを泳動粒子径前後に制限する必要がある。
【００３０】
ステップ１５の高さが制限されるため、段差による泳動粒子６の移動抑制効果は不十分である。このため、選択期間に駆動電圧Ｖｄが印加された状態で、非選択画素において制御電圧Ｖｃを印加し泳動粒子６の移動を押え込む場合（図２０（ｃ））において、ステップ１５が低いために一部の泳動粒子６が段差を越えて移動していまい、結果としてクロストーク現象を引き起こし表示コントラストが劣化するという重要な問題が発生する（図２２（ｂ））。
【００３１】
制御電圧Ｖｃを十分に大きくすれば、ある程度泳動粒子６を押え込むことは可能であるが、この場合は印加電圧が高くなってしまうという弊害とともに、素子内の絶縁部材中に高電圧によって注入された電荷が電圧解除後も残留し、この残留電荷のもたらす意図せぬ電界によって泳動粒子６の動作状態が不安定になるという新たな問題が発生する。
【００３２】
ステップ１５の高さが制限される弊害は他にもある。ステップ１５の高さが十分でないため、第１駆動電極３と第２駆動電極４との間の面積差をあまり大きく設定できない。面積差を大きく設定すると、面積の小さい電極面上に泳動粒子６を集めようとしても泳動粒子６が溢れ出てしまうからである（図２２（ｃ））。表示コントラストは、第１駆動電極３と第２駆動電極４の面積比で決定されるため、結果として表示コントラストが制限されてしまう。
【００３３】
さらに、第１の構成においては、段差による移動抑制効果は下段側から上段側への方向に限定され、上段側から下段側への移動はむしろ加速される。従って、書き込み方向は一方向のみに限られ、まず最初に全画面の泳動粒子６を下段側に集め全面リセットしたのち、一方向への書き込みを行なうという駆動方法に限定されてしまう。書き込みを双方向に対して行なうことはできず、画面の一部のみを選択的に書き換えるような駆動はできない。
【００３４】
一方、第２の構成においては、選択期間においては、非選択画素に対しては制御電極１４に電圧を印加することによって泳動粒子の移動を双方向に対して阻止することが可能であり、また選択画素に対しては制御電極１４の電圧を０Ｖにすることによって泳動粒子６の移動をスムーズに行なうことができる。この場合はステップ１５は必ずしも必須な構成要素ではないと考えられる。
【００３５】
しかしながら、第２の構成において、制御電極１４が阻止することができるのは、あくまで第１駆動電極・第２駆動電極間の移動のみであって駆動電極面内での移動については制御不能である。このため非選択期間において制御電極１４に印加される制御電圧によって、駆動電極面内に均一に分散していた泳動粒子６は制御電極１４から反発する方向に移動し、駆動電極面内において図２３（ａ），（ｂ）に示すような分布の偏りが発生し表示コントラストが著しく低下してしまうという問題がある。
【００３６】
【課題を解決するための手段】
以上述べた問題点を解決するために、本発明においては以下に記載する新規な表示方法と構成を提案する。
【００３７】
本発明の電気泳動表示方法は、第１基板と、第１基板上に配置される第１駆動電極及び第２駆動電極と、前記第１基板に対向して配置される第２基板と、該第２基板上に配置された第３駆動電極と、第１基板と第２基板間に充填された透明絶縁性液体と、該透明絶縁性液体中に分散された複数の泳動粒子とを備えた電気泳動表示装置を用いた表示方法であって、前記泳動粒子が前記第１駆動電極及び前記第２駆動電極間で移動する第１の過程と、前記泳動粒子が、前記第１駆動電極及び前記第２駆動電極から、第２基板面の前記第１駆動電極及び前記第２駆動電極とそれぞれ対向する部分に転写される第２の過程とを有して表示を行なうことを特徴とする。
【００３８】
また、前記泳動粒子を前記第２基板上に配置された第３駆動電極に吸着させるために、正帯電の泳動粒子の場合には、
「第１駆動電極及び第２駆動電極の電位＞第３駆動電極の電位」
の関係を満たし、負帯電の泳動粒子の場合には、
「第１駆動電極及び第２駆動電極の電位＜第３駆動電極の電位」
の関係を満たす期間が含まれるように、前記第１駆動電極、第２駆動電極及び第３駆動電極に電圧を印加することを特徴とする。
【００３９】
また、再び表示の書き込みを行う場合、第１段階として前記第３駆動電極に吸着した前記泳動粒子を離し、第２段階として該泳動粒子を前記第１駆動電極及び前記第２駆動電極間で移動させ、第３段階として該第３駆動電極に該泳動粒子を吸着させて表示を行なうことを特徴とする。
【００４０】
また、前記泳動粒子を前記第２基板上に配置された第３駆動電極から離すために、正帯電の泳動粒子の場合には、
「第１駆動電極及び第２駆動電極の電位＜第３駆動電極の電位」
の関係を満たし、負帯電の泳動粒子の場合には、
「第１駆動電極及び第２駆動電極の電位＞第３駆動電極の電位」
の関係を満たす期間が含まれるように、前記第１駆動電極、第２駆動電極及び第３駆動電極に電圧を印加することを特徴とする。
【００４１】
また、再び表示の書き込みを行う場合、第１段階として前記第３駆動電極に吸着した前記泳動粒子を離すと同時に前記第１駆動電極上あるいは前記第２駆動電極上に移動させ、第２段階として該第２基板側に該泳動粒子を吸着させて表示を行なうことを特徴とする。
【００４２】
本発明の電気泳動表示装置は、第１基板と、第１基板上に配置される第１駆動電極及び第２駆動電極と、前記第１基板に対向して配置される第２基板と、該第２基板上に配置された第３駆動電極と、第１基板と第２基板間に充填された透明絶縁性液体と、該透明絶縁性液体中に分散された複数の泳動粒子とを備えた電気泳動表示装置において、前記第２基板上に配置された第３駆動電極面に、前記第１駆動電極と前記第２駆動電極との境界部と対向して設置された障壁を有し、前記泳動粒子が前記第１駆動電極及び前記第２駆動電極から、第２基板面の前記第１駆動電極及び前記第２駆動電極とそれぞれ対向する部分に障壁を介して転写されることを特徴とする。
【００４３】
また、本発明の電気泳動表示装置は、第１基板と、第１基板上に配置される第１駆動電極及び第２駆動電極と、前記第１基板に対向して配置される第２基板と、該第２基板上に配置された第３駆動電極と、第１基板と第２基板間に充填された透明絶縁性液体と、該透明絶縁性液体中に分散された複数の泳動粒子とを備えた電気泳動表示装置において、前記第２基板上に配置された第３駆動電極面に、該帯電泳動粒子と逆極性の表面電荷を定常的に帯電した荷電膜を有することを特徴とする。
【００４４】
また、好ましくは、前記第１駆動電極、第２駆動電極及び第３駆動電極を被覆するように配置される絶縁層を有する。
また、好ましくは、前記第１駆動電極、第２駆動電極、第３駆動電極、第１基板、第２基板及び絶縁層の少なくとも１つが、前記泳動粒子と光学的特性が異なる色に着色されている。
【００４５】
また、好ましくは、前記第１基板及び前記第２基板がポリマーフィルムである。
また、好ましくは、前記泳動粒子の平均粒径が０．１μｍ〜１０μｍである。
【００４６】
また、好ましくは、前記第１基板及び前記第２基板の距離が５００μｍ以下である。
また、好ましくは、前記第１基板及び前記第２基板の距離が１００μｍ以下である。
また、好ましくは、前記第１基板及び前記第２基板の距離が前記泳動粒子の粒径以上である。
また、好ましくは、前記第１基板及び前記第２基板の距離が前記泳動粒子の粒径の２倍以上である。
また、好ましくは、前記第１基板及び前記第２基板の距離が前記泳動粒子の粒径の５倍以上である。
【００４７】
また、好ましくは、前記第１駆動電極及び前記泳動粒子が黒色あるいは暗黒色である。
【００４８】
上記の電気泳動表示方法、及び電気泳動表示装置によって、例えば特表平８−５０７１５４号公報に開示されるような従来の電気泳動表示装置の単純マトリックス駆動法における泳動粒子の移動を禁止し保持するための電圧を大幅に小さくすることが可能である。
【００４９】
本発明は、特表平８−５０７１５４号公報に開示される高い制御電圧によって泳動粒子を押さえつけて移動を禁止するというような制御電極を使用した単純マトリックス駆動法とは全く異なるものであり、第２基板上に配置された第３駆動電極に表示パターンを転写することにより擬似的な閾値を付与するといった転写表示による新規な単純マトリックス駆動法である。
【００５０】
この新規な方法では、第１基板上に配置される第１駆動電極及び第２駆動電極で泳動粒子を移動させ、表示パターンを形成した後、第２基板上の第３駆動電極に吸着させて表示パターンを転写することにより単純マトリックス駆動法を実現できる。
【００５１】
その実現可能な理由としては、第１には、泳動粒子を第３駆動電極に印加する駆動電圧によって引き付け第３駆動電極に吸着させることによって第１駆動電極及び第２駆動電極の印加電圧から生じる電界による水平移動がし難くなるということ、そして第２に、第１駆動電極及び第２駆動電極と対向して距離を隔てている第２基板側では第１駆動電極及び第２駆動電極の印加電圧から生じる電界が弱くなるため、第１駆動電極及び第２駆動電極に印加される電圧を切り換えたとしても泳動粒子はその電界の影響から逃れることができるということの２つの事象が挙げられる。
【００５２】
この２つの事象が効果的に作用するため、第３駆動電極に印加する電圧に高電圧を使用しなくてもよく、第３駆動電極に表示パターンを転写した状態では、第１駆動電極及び第２駆動電極に印加する電圧を切り換えても、泳動粒子は前の状態を保持して形成した表示パターンが変わることがない。よって、本発明では、泳動粒子が駆動電圧に対して明確な閾値特性を持たなくとも低電圧で泳動粒子の移動を禁止し保持することができ、単純マトリックス駆動法を用いた電気泳動表示装置の駆動を可能にするという非常に大きな利点を持つ。
【００５３】
【発明の実施の形態】
以下、本発明の実施態様について順に説明する。
【００５４】
（基本的な構成での動作）
図１に本発明での代表的な断面構成図の一例を示す。図１では説明の便宜上２画素からなる構成を示している。隔壁１０を介して第１基板１と第２基板２が対向配置されており、第２基板２上には、第３駆動電極５が形成されている。両基板と隔壁１０によって形成される空間内には、透明な絶縁性液体７が充填され、絶縁液体中には帯電した泳動粒子６が分散されている。
【００５５】
第１駆動電極３及び第２駆動電極４の平面形状に特に限定はなく、代表的なストライプ形状（図２（ａ））のほか、方形（図２（ｂ））、円形などの閉ループ形状など、任意の形状が適用可能である。
【００５６】
図１の構成の具体的なサイズとしては、例えば画素サイズ１００μｍ×１００μｍに対して、泳動粒子の平均粒径１μｍ、第１基板と第２基板の間隔８０μｍ、全画素面積に対する面積比として、第１駆動電極１５％、第２駆動電極８５％程度が好適である。
【００５７】
セル構成部材の配色は任意の組み合わせが可能である。例えば泳動粒子６を黒に着色し、第２基板２を透明、第１駆動電極３を黒、第２駆動電極４を白、第３駆動電極５を透明というような組み合わせでは、観測者がセルを第２基板側から見たとき、白表示と黒表示の切り換えを行なうことができる。第２駆動電極４の着色がレッド、グリーン、ブルーの画素、あるいは第２駆動電極４が透明かつ第１基板１の着色がレッド、グリーン、ブルーの画素、あるいは図３（ａ）に示すように第２駆動電極４が透明かつ第１基板１上にレッド、グリーン、ブルーの着色絶縁層１１を設けた画素を並べることによってカラー表示を行なうことも可能である。
【００５８】
また、必ずしも観測者はセルを第２基板側から見る必要はなく、第１基板側から見る場合に、泳動粒子６を黒、第１基板１を透明、第１駆動電極３を黒、第２駆動電極４を透明、第３駆動電極５を白というような組み合わせによっても白表示と黒表示の切り換えを行なうことができる。この場合、第３駆動電極５の着色がレッド、グリーン、ブルーの画素、あるいは第３駆動電極５が透明かつ第２基板２の着色がレッド、グリーン、ブルーの画素、あるいは図３（ｂ）に示すように第２駆動電極４が透明かつ第２基板２上にレッド、グリーン、ブルーの着色絶縁層１１を設けた画素を並べることによってカラー表示を行なうことも可能である。
【００５９】
次に図４および図５を用いて本発明の駆動方法の顕著な特徴について説明する。図４および図５に各過程における泳動粒子の動作状態を示し、その説明では泳動粒子６の帯電極性を正とし、部材の配色としては、泳動粒子６を黒、第１駆動電極３を黒、第２駆動電極４を白、第３駆動電極５を透明とする。図４および図５中の矢印はセル内の電界ベクトルの概要を示す。セル構成は図１と同じである。また、第１駆動電極３に駆動電圧Ｖｄ１、第２駆動電極４に駆動電圧Ｖｄ２、第３駆動電極５に駆動電圧Ｖｄ３を印加するものとする。さらに、以下の説明で用いる電圧値においては、必ずしもその値を使用しなければいけないというわけではなく、本発明の表示方法を実現できるのならば任意に設定できるものとする。
【００６０】
まず、第１駆動電極３と第２駆動電極４に駆動電圧を印加して泳動粒子６を水平移動させる（図４（ａ））。画素Ａでは第１駆動電極３に駆動電圧Ｖｄ１＝−３０Ｖ、第２駆動電極４に駆動電圧Ｖｄ２＝＋３０Ｖを印加して白表示状態とする。画素Ｂでは第１駆動電極３に駆動電圧Ｖｄ１＝＋３０Ｖ、第２駆動電極４に駆動電圧Ｖｄ２＝−３０Ｖを印加して黒表示状態とする。このとき第３駆動電極５に駆動電圧Ｖｄ３＝＋６０Ｖを印加する。
【００６１】
それに続いて、第３駆動電極５に駆動電圧Ｖｄ３＝−６０Ｖを印加し、第３駆動電極５に該泳動粒子６を静電力で吸着させる。この時、図４（ｂ）が示すように、画素Ａでは該泳動粒子６は第２基板面の第１駆動電極３と対向する部分に転写する。画素Ｂでは該泳動粒子６は第２基板面の第２駆動電極４と対向する部分に転写する。そのため、画素Ａでは白表示状態、画素Ｂでは黒表示状態のままである。
【００６２】
この状態で第１駆動電極及び第２駆動電極に印加する駆動電圧の極性を反転させ、画素Ａでは第１駆動電極３に駆動電圧Ｖｄ１＝＋３０Ｖ、第２駆動電極４に駆動電圧Ｖｄ２＝−３０Ｖを印加し、画素Ｂでは第１駆動電極３に駆動電圧Ｖｄ１＝−３０Ｖ、第２駆動電極４に駆動電圧Ｖｄ２＝＋３０Ｖを印加しても、表示状態は変化しない（図４（ｃ））。
【００６３】
第１駆動電極３に印加される電圧と第２駆動電極４に印加される電圧によって生じる電界は、第１基板側が強く、第１基板を離れ第２基板に近づくにつれて弱くなる。したがって、泳動粒子６を第３駆動電極５に印加される駆動電圧によって第３駆動電極５に吸着させることと、第２基板側では泳動粒子を水平移動させる電界が弱いということの２つの事象により、泳動粒子６の水平移動をほぼ完全に禁止しているため、特表平８−５０７１５４号公報の構成に比べて、泳動粒子の移動を禁止し保持するための電圧を大幅に小さくすることが可能であり、このことは本発明の最大の利点と言える。よって、駆動電圧に対して明確な閾値特性を持たない電気泳動表示装置を、単純マトリックス駆動法によって駆動するためには大変有効である。
【００６４】
本発明では表示の書き換え方法として２つの駆動方法を提案する。
［書き換え方法１］
１つ目の表示の書き換え方法は、図５（ｄ）にあるように、第１駆動電極３と第２駆動電極４に駆動電圧Ｖｄ１＝Ｖｄ２＝０Ｖ、第３駆動電極５に駆動電圧Ｖｄ３＝＋６０Ｖを印加することで第２基板２から泳動粒子６を離して第１基板側に移動させる。その後、所望の表示を行うために、画素Ａでは黒表示を行うとすると、第１駆動電極３に駆動電圧Ｖｄ３＝＋３０Ｖ、第２駆動電極４に駆動電圧Ｖｄ２＝−３０Ｖ、画素Ｂでは白表示を行うとすると、第１駆動電極３に駆動電圧Ｖｄ１＝−３０Ｖ、第２駆動電極４に駆動電圧Ｖｄ２＝＋３０Ｖを印加して泳動粒子を移動させる（図５（ｅ））。そして、再び図４（ｂ）のようにＶｄ３＝−６０Ｖとして第２基板側に転写する。
【００６５】
［書き換え方法２］
もう１つの書き換え方法を説明する。それは第３駆動電極５に駆動電圧Ｖｄ３＝＋６０Ｖを印加して第２基板２から泳動粒子６を離して第１基板側に移動させると同時に、第１駆動電極３、および第２駆動電極４に駆動電圧を印加し書き込みを行う駆動である。
【００６６】
図５（ｆ）にあるように、第３駆動電極５に駆動電圧Ｖｄ３＝＋６０Ｖを印加した瞬間に、画素Ａでは黒表示を行うとすると、第１駆動電極３に駆動電圧Ｖｄ３＝＋３０Ｖ、第２駆動電極４に駆動電圧Ｖｄ２＝−３０Ｖを印加し、画素Ｂでは白表示を行うとすると、第１駆動電極３に駆動電圧Ｖｄ１＝−３０Ｖ、第２駆動電極４に駆動電圧Ｖｄ２＝＋３０Ｖを印加して第１駆動電極上あるいは第２駆動電極上に泳動粒子を移動させ、表示パターンを形成する。そして、再び図４（ｂ）のようにＶｄ３＝−６０Ｖとして第２基板側に転写する。この方法のほうが書き込み時間を短縮できるという利点がある。
【００６７】
（単純マトリックス駆動方法）
続いて、図６〜図９を見ながら本発明における２つの単純マトリックス駆動方法について説明する。図６〜図９中の矢印はセル内の電界ベクトルの概要を示す。Ｘ方向にｍ列、Ｙ方向にｎ行の画素が配列したｍ×ｎマトリックスを有する水平移動型電気泳動表示装置を考える。画素配列に沿って、第１駆動電極３に配線されたｍ本の第１データ信号電極ラインと第２駆動電極４に配線されたｍ本の第２データ信号電極ラインが列方向に、第３駆動電極５に配線されたｎ本の走査信号電極ラインが行方向に、互いに直交するように配列されている。
【００６８】
［単純マトリックス駆動方法１］
前記の［書き換え方法１］を用いて、Ｙ方向に上から順番に走査信号電極ラインを選択し、書き込みを行なう。その選択された走査信号電極ライン、すなわち選択ラインで行う動作について説明する。書き込み前の表示状態としては、白表示を行う画素では黒表示（図６（ａ））、黒表示を行う画素では白表示（図６（ｂ））とし、書き込みを行うことで反転表示をすることにする。
【００６９】
選択ラインでは図６（ｃ），（ｄ）に示されるように、走査信号電極ラインに駆動電圧Ｖｄ３＝＋６０Ｖを印加し、このとき第１データ信号電極ラインと第２データ信号電極ラインにはＶｄ１＝Ｖｄ２＝０Ｖを印加し、泳動粒子６を第３駆動電極５から離して第１基板側に移動させる。そのあと、その選択ラインの画素のうち、白表示をする画素では第１データ信号電極ラインにＶｄ１＝−３０Ｖ、第２データ信号電極ラインにＶｄ２＝＋３０Ｖを印加する（図６（ｅ））。黒表示をする画素では、第１データ信号電極ラインにＶｄ１＝＋３０Ｖ、第２データ信号電極ラインにＶｄ２＝−３０Ｖを印加する（図６（ｆ））。この電圧印加により、泳動粒子６を第１駆動電極３上あるいは第２駆動電極４上に水平移動させて、所望の表示を行なう。
【００７０】
泳動粒子６の水平移動が完了すると、その走査信号電極ラインにＶｄ３＝−６０Ｖを印加し、泳動粒子６を第３駆動電極５に吸着させて、表示パターンを第２基板側に転写する（図６（ｇ），（ｈ））。以上で選択ラインで行う動作は終了であり、次のラインを選択ラインとして同様に書き込み動作を行う。
【００７１】
また、図７（ｉ）〜（ｎ）に示されるように非選択ラインの走査信号電極ラインについては駆動電圧Ｖｄ３＝−６０Ｖを印加し続ける。第１データ信号電極ラインと第２データ信号電極ラインには、白表示・黒表示を行う時の−３０Ｖあるいは＋３０Ｖ、そして泳動粒子６を第１基板側に移動させる場合の０Ｖが印加される。しかし、泳動粒子は第３駆動電極により第２基板側に吸着されているため、第１データ信号電極ラインと第２データ信号電極ラインの印加電圧が＋３０Ｖ・０Ｖ・−３０Ｖと切り換わっても泳動粒子は水平移動することはなく、前の表示状態を安定に保持することができる。
【００７２】
［単純マトリックス駆動方法２］
前記の［書き換え方法２］を用いて、Ｙ方向に上から順番に走査信号電極ラインを選択し、書き込みを行なう。その選択された走査信号電極ライン、すなわち選択ラインで行う動作について説明する。［単純マトリックス駆動方法１］での説明と同様に、書き込み前の表示状態としては、白表示を行う画素では黒表示（図８（ａ））、黒表示を行う画素では白表示（図８（ｂ））とし、書き込みを行うことで反転表示をさせる動作で説明する。
【００７３】
選択ラインおいて、走査信号電極ラインに駆動電圧Ｖｄ３＝＋６０Ｖを印加し、泳動粒子６を第１基板側に移動させる。この駆動電圧Ｖｄ３＝＋６０Ｖを印加すると同時に、第１データ信号電極ライン、および第２データ信号電極ラインには所望の表示を行うための駆動電圧を印加して泳動粒子６を第１駆動電極３上あるいは第２駆動電極４上に移動させる。その選択ラインの画素において、白表示をする画素では、第１データ信号電極ラインにＶｄ１＝−３０Ｖ、第２データ信号電極ラインにＶｄ２＝＋３０Ｖを印加する（図８（ｃ））。黒表示をする画素では、第１データ信号電極ラインにＶｄ１＝＋３０Ｖ、第２データ信号電極ラインにＶｄ２＝−３０Ｖを印加する（図８（ｄ））。泳動粒子の移動が完了すると、その走査信号電極ラインにＶｄ３＝−６０Ｖを印加し、泳動粒子６を第３駆動電極５に吸着させて表示パターンを第２基板側に転写する（図８（ｅ），（ｆ））。
【００７４】
図９（ｇ）〜（ｊ）に示されるように非選択ラインの走査信号電極ラインについては駆動電圧Ｖｄ３＝−６０Ｖを印加し続ける。第１データ信号電極ラインと第２データ信号電極ラインには、白表示・黒表示を行う時の−３０Ｖあるいは＋３０Ｖが印加される。しかし、泳動粒子は第３駆動電極により第２基板側に吸着されているため、第１データ信号電極ラインと第２データ信号電極ラインの印加電圧が＋３０Ｖ・−３０Ｖと切り換わっても泳動粒子は水平移動することはなく、前の表示状態を安定に保持することができる。
【００７５】
このようにして、本発明による水平移動型電気泳動装置において、単純マトリックス駆動を行なうことによって、クロストークすることなくコントラストの高い表示を形成することができる。
【００７６】
（構成のバリエーション）
本発明の特徴である駆動方法は、図１のタイプに限定されるものではない。以下本発明において有効な構成について図を用いながら順に説明する。
【００７７】
図１０に第２基板上に配置された第３駆動電極面に障害物として障壁１２を有する構成を示す。その障壁１２は第１駆動電極３と前記第２駆動電極４との境界部と対向して設置されており、その高さは泳動粒子径の数倍〜数十倍と大きく、泳動粒子６の水平移動をほぼ禁止する機能を有していることが特徴である。書き込み後、泳動粒子を第３駆動電極５に吸着させた時、駆動電圧を小さくして第２基板への吸着力を下げたとしても、この障壁１２により泳動粒子の水平移動を防ぐことができるので、低電圧でコントラストの高い表示を行なう上では非常に有効な手段となる。
【００７８】
図１１に第２基板上に配置された第３駆動電極面に該帯電泳動粒子と逆極性の表面電荷を定常的に帯電した荷電膜１３を配置した構成を示す。荷電膜１３は強誘電体材料またはエレクトレット材料によって形成することが好適である。駆動電圧の静電力による第３駆動電極５への吸着だけではなく、この荷電膜１３の表面電荷の静電力によっても泳動粒子を引き付けて水平移動を防ぐことができるので、第３駆動電極５への吸着させるための駆動電圧を下げたとしてもコントラストの高い表示を行なうことができる。
【００７９】
第２基板２上の第３駆動電極５は必ずしも、画素全面に形成する必要はない。例えば図１２に、図１の構成において、第１駆動電極３と第２駆動電極４との境界部と対面する部分に切れ目をいれた第３駆動電極５を配置する構成を示す。この配置においては、図４および図５で示した駆動方法における書き込み動作において、泳動粒子６の移動による表示パターンの転写がより的確に行なわれるという利点がある。
【００８０】
以上の記述においては説明の便宜上、第１駆動電極３と第２駆動電極４が１画素内に一対配置された構成について示してきたが、本発明においては１画素内の電極数について特に限定はなく、複数の駆動電極対が配置される構成が可能であることはいうまでもない。図１３に１画素内に電極対が２組配置される構成について示す。図１３（ａ）は図１のタイプ、図１３（ｂ）は図１０のタイプに相当する。
【００８１】
（構成部材の材料・製造方法）
以下、本実施態様の表示装置の製造方法について、図１を用いて説明する。まず第１基板１上に、第１駆動電極３及び第２駆動電極を形成しパターンニングする。同様に、第２基板２上に第３駆動電極５を形成しパターンニングする。基板の材料としては、ポリエチレンテレフタレート（ＰＥＴ）、ポリエーテルサルフォン（ＰＥＳ）等のポリマーフィルム或いはガラス、石英等の無機材料を使用することができる。駆動電極材料は、パターニング可能な導電性材料ならどのようなものを用いてもよく、透明電極の材料としては、酸化インジウムすず（ＩＴＯ）などを用いる。
【００８２】
駆動電極面の着色は、電極材料、あるいは電極材料の上に形成される絶縁層材料そのものの色を利用してもよく、又は所望の色の材料層を電極上、絶縁層上、基板面上に形成してもよい。また、絶縁層などに着色材料を混ぜ込んでもよい。
【００８３】
次に、第１駆動電極上及び第２駆動電極上に絶縁層８、第３駆動電極上に絶縁層９を形成する。絶縁層の材料としては薄膜でピンホールが形成しづらく、低誘電率の材料が好ましく、例えば、アモルファスフッ素樹脂、高透明ポリイミド、ＰＥＴ等を使用できる。絶縁層の膜厚としては、１００ｎｍ〜１μｍ程度が好適である。
【００８４】
次に第２基板上に隔壁１０を形成する。隔壁１０の高さはフレキシブル性を損なわないためには５００μｍ以下が望ましい。また第１基板１と第２基板２の距離が大きいと表示パターンの転写時間が長くなり駆動電圧も大きくする必要があるため、実用上１００μｍ以下が好ましい。また、泳動粒子６の粒径を考慮すると、粒径以上が好ましく、さらに転写表示による第１駆動電極または第２駆動電極と第３駆動電極間の移動を考慮すると、粒径の２倍以上が好ましい。さらに非選択ラインにおいて第１駆動電極及び第２駆動電極の印加電圧による電界の影響を受け難くするには、粒径の５倍以上が好ましい。
【００８５】
隔壁１０の配置に制限はないが、画素間で泳動粒子６が移動しないように、各画素の周囲を取り囲むように配置するのがよい。隔壁材料としてはポリマー樹脂を使用する。隔壁形成はどのような方法を用いてもよい。例えば、光感光性樹脂層を塗布した後露光及びウエット現像を行う方法、又は別に作製した障壁を接着する方法、印刷法によって形成する方法、或いは光透過性の第１基板表面にモールドによって形成しておく方法等を用いることができる。
【００８６】
次に隔壁１０で囲まれた各画素空間に透明な絶縁性液体７及び泳動粒子６を充填する。絶縁性液体７としては、シリコーンオイル、トルエン、キシレン、高純度石油等の無色透明液体を使用する。黒色の泳動粒子６としては、絶縁性液体中で良好な帯電特性を示す材料を用いる。例えば、ポリエチレン、ポリスチレン等の樹脂にカーボンなどを混ぜたものを使用する。泳動粒子６の粒径は隔壁１０に高さを考慮して、通常は０．１μｍ〜１０μｍ位のものを使用する。
【００８７】
次に、第１基板１の第２基板２との接合面に接着層を形成した後、第１基板１及び第２基板２の位置合わせを行い、熱をかけて接着する。これに、電圧印加手段を接続して表示装置が完成する。
【００８８】
図１０の第２基板２の障壁１２の形成は、隔壁１０の材料及び形成方法と同様にして行なうことができる。隔壁材料としてはポリマー樹脂を使用し、隔壁形成としては光感光性樹脂層を塗布した後露光及びウエット現像を行う方法、又は別に作製した障壁を接着する方法、印刷法によって形成する方法、或いは光透過性の第２基板表面にモールドによって形成しておく方法等を用いることができる。
【００８９】
図１１の第２基板の荷電膜は強誘電体材料またはエレクトレット材料によって形成することが可能である。
【００９０】
強誘電体材料を用いる場合、チタン酸ジルコン酸鉛（ＰＺＴ）、ランタン添加チタン酸ジルコン酸鉛（ＰＬＺＴ）、チタン酸バリウム等の無機化合物や、ポリフッ化ビニリデン（ＰＶＤＦ）、フッ化ビニリデンとトリフルオロエチレンの共重合体（ＰＶＤＦ／ＰＴｒＦＥ）等の有機ポリマーが適当であり、ゾル−ゲル法、スパッタ法、ＣＶＤ法（化学気相成長法）等で形成することができる。
【００９１】
エレクトレット材料を用いる場合、優れた性能のものではテフロン（Ｔｅｆｌｏｎ−ＦＥＰ、Ｔｅｆｌｏｎ−ＴＦＥ）等のフッ素系樹脂があり、その他ポリエチレン、ポリプロピレン、ポリスチレン、ポリメチルメタクリレート、ポリ塩化ビニル、ポリエチレンテレフタレート、ポリイミド等も好適である。サーモ・エレクトレット法、エレクトロ・エレクトレット法、ラジオ・エレクトレット法、フォト・エレクトレット法、メカノ・エレクトレット法等で形成することができる。
【００９２】
【実施例】
以下、実施例に従って本発明を更に詳しく説明する。
【００９３】
実施例１
本実施例では、図１に示したセル構成で、３×３マトリックス表示セルを作製し、［単純マトリックス駆動方法１］によって双方向書き込みによる単純マトリックス駆動を行なった。双方向書き込み駆動は、特表平８−５０７１５４号公報で開示された構成では困難であって、本発明ならではの特徴の一つである。従って黒表示→白表示及び白表示→黒表示の双方向に対して書き込みを行なうことができる。
【００９４】
作製した３×３マトリックス表示セルの平面図を図１４に示す。１画素サイズは１ｍｍ×１ｍｍ、第１駆動電極と第２駆動電極の面積比２０：８０である。
【００９５】
以下、図１４及び図１を見ながら、セルの製造方法について簡単に説明する。厚さ２００μｍのＰＥＴフィルムからなる第１基板１上に、まずアルミナなどの白色顔料を分散させたアクリル樹脂からなる絶縁層８を全面に形成した。次に第２駆動電極４としてＩＴＯを低温成膜し、フォトリソグラフィー及びドライエッチングにより図に示す形状にパターニングした。次に第１駆動電極３として暗黒色の炭化チタン膜を成膜し、同様にしてパターニングした。次に、全面にアモルファスフッ素樹脂からなる絶縁層８を２００ｎｍの厚さに形成した。
【００９６】
続いて、ＰＥＴフィルムからなる第２基板２上に第３駆動電極５としてＩＴＯを低温成膜したのち、図に示す形状にパターニングし、次に全面にアモルファスフッ素樹脂からなる絶縁層９を２００ｎｍ形成した。この上に、隔壁１０を形成した。隔壁１０は、光感光性エポキシ樹脂を塗布した後、露光及びウエット現像を行うことによって形成し、７０μｍの高さとした。形成された隔壁内に絶縁性液体７及び黒色帯電泳動粒子６を充填した。
【００９７】
絶縁性液体７としては、シリコーンオイルを使用した。黒色帯電泳動粒子６としては、ポリスチレンとカーボンの混合物で、平均粒径１μｍ位のものを使用した。シリコーンオイル中での泳動粒子６は正帯電極性を示した。次に、第１基板１の第２基板２との接着面に熱融着性の接着層パターンを形成し、第２基板２の隔壁上に、位置合わせを行ないながら第１基板１を置き、熱をかけて張り合わせた。これに不図示の電圧印加回路を接続して表示装置とした。
【００９８】
以下、本実施例における駆動方法の説明を行なう。
第１駆動電極を第１データ信号電極ライン（Ｄ１１〜Ｄ１３) と、第２駆動電極を第２データ信号電極ライン（Ｄ２１〜Ｄ２３）、第３駆動電極を走査信号電極ライン（Ｓ１〜Ｓ３）とした。
【００９９】
図１５（ａ）に、各走査電極ライン及び信号電極ラインに印加した駆動電圧のタイムチャートを、図１５（ｂ）に各期間における表示状態の変化を示した。図１５における各期間（Ｔ１，Ｔ２，Ｔ３）は９０ｍｓｅｃである。また期間Ａは泳動粒子が第３駆動電極から離れるための期間であり、３０ｍｓｅｃ、期間Ｂは泳動粒子の水平移動期間であり、３０ｍｓｅｃ、期間Ｃは表示を第３駆動電極に転写する期問であり、３０ｍｓｅｃとした。
【０１００】
双方向への書き込みが可能であるので、本実施例においては初期動作として全面リセットをする必要はない。本実施例では初期表示パターンとして期間Ｔ０に示すパターンを与え、全画素を各走査信号電極ライン（Ｓ１〜Ｓ３）ごとに反転表示することとする。尚、本実施例においては図６，図７を用いて説明した［単純マトリックス駆動方法１］によって書き込みを行なったため、書き込み時の泳動粒子の詳しい動作については［単純マトリックス駆動方法１］と同様であり説明を省略する。
【０１０１】
以下、図１５（ａ）のタイムチャートに従って駆動方法を順に説明する。期間Ｔ１おいて、まず期間Ａでは選択ラインでの走査信号電極ラインＳ１にＶｄ３＝＋６０Ｖ、非選択ラインでの走査信号電極ラインＳ２，Ｓ３にＶｄ３＝−６０Ｖを印加し、全第１データ信号電極ライン（Ｄ１１〜Ｄ１３）と全第２データ信号電極ライン（Ｄ２１〜Ｄ２３）には０Ｖを印加する。
【０１０２】
次に期間Ｂに移り、白表示書き込み電圧として、画素（１，１）（１，３）に対応する第１データ信号電極ラインＤ１１，Ｄ１３にＶｄ１＝−３０Ｖ、及び第２データ信号電極ラインＤ２１，Ｄ２３にＶｄ２＝＋３０Ｖを印加し、また、黒表示書き込み電圧として、画素（１，２）に対応する第１データ信号電極ラインＤ１２にＶｄ１＝＋３０Ｖ、及び第２データ信号電極ラインＤ２２にＶｄ２＝−３０Ｖを印加した。その結果、選択ラインの走査電極ラインＳ１の全ての画素が書き換えられ反転表示された。
【０１０３】
続いて期間Ｃで選択ラインの走査信号電極ラインＳ１にＶｄ３＝−６０Ｖを印加し、書き換えられた表示を第２基板に転写した。また、この間非選択ラインの走査信号電極ラインＳ２，Ｓ３における各画素では初期表示状態が保持された。
【０１０４】
以下、期間Ｔ２，Ｔ３において同様の駆動を行なった結果、目的の反転表示パターンが良好なコントラストで得られた。得られた表示には、クロストーク現象、及び泳動粒子の移動不良、保持不良によるコントラストの劣化は一切認められず、白表示と黒表示の平均的なコントラストは１０：１程度の高い値を示した。
【０１０５】
比較例１
比較例１として、特表平８−５０７１５４号公報において開示された図１７（ａ）に示すセル構成で、３×３マトリックス表示セルを作製し、一方向書き込みによる単純マトリックス駆動を行なった。
【０１０６】
作製した３×３マトリックス表示セルの平面図を図２４に示す。１画素サイズは１ｍｍ×１ｍｍ、第１駆動電極３と第２駆動電極４の面積比３５：６５、第１基板と第２基板間の間隔７０μｍ、ステップ１５の高さ０．３μｍとし、平均粒子径１μｍの正帯電泳動粒子を用いた。駆動電極と泳動粒子の配色は図１と同様である。
【０１０７】
以下、図２４及び図１７（ａ）を見ながら、セルの製造方法について簡単に説明する。厚さ２００μｍのＰＥＴフィルムからなる第１基板１上に、まずアルミナなどの白色顔料を分散させたアクリル樹脂からなる絶縁層８を全面に形成した。次に第１駆動電極３として暗黒色の炭化チタン膜を成膜し、フォトリソグラフィー及びドライエッチングにより図に示す形状にパターニングした。
【０１０８】
次にエポキシ樹脂を０．３μｍの膜厚で塗布し、続いて第２駆動電極４としてＩＴＯ薄膜をマグネトロンスパッタ法よって低温成膜した。続いてレジスト膜を塗布し、図に示すような形状にパターンニング、最後にＣＦ4 及びＯ2 ガスによる反応性ドライエッチングを行ない、高さ０．３μｍのステップ１５上にＩＴＯからなる第２駆動電極４が配置された構造体を形成した。次に、全面にアモルファスフッ素樹脂からなる絶縁層８を２００ｎｍの厚さに形成した。
【０１０９】
続いて、ＰＥＴフィルムからなる第２基板２上に制御電極１４としてＩＴＯを低温成膜したのち、図に示す形状にパターニングし、次に全面にアモルファスフッ素樹脂からなる絶縁層９を２００ｎｍの厚さに形成した。この上に、隔壁１０を形成した。隔壁１０は、光感光性エポキシ樹脂を塗布した後、露光及びウエット現像を行うことによって形成し、７０μｍの高さとした。形成された隔壁内に絶縁性液体７及び黒色帯電泳動粒子６を充填した。
以下のプロセスは実施例１と全く同様であるので説明を省略する。
【０１１０】
以下、駆動方法について説明する。
第１駆動電極３を走査電極ライン（Ｓ１〜Ｓ３）、制御電極１４をデータ信号電極ライン（Ｄ１〜Ｄ３）とし、第２駆動電極４をコモン電極として接地電位に固定した。
【０１１１】
図２５（ａ）に、各走査電極ライン（走査信号電極ラインとも記す）及び信号電極ライン（データ信号電極ラインとも記す）に印加した駆動パルスのタイムチャートを、図２５（ｂ）に各期間における表示状態の変化を示した。図２５における各期間は５０ｍｓｅｃである。
【０１１２】
駆動は、まず最初に全面を白表示にリセットし、次に走査電極ライン毎に、設定した表示パターンに対応する選択画素（１，２），（２，１）、（２，３），（３，２）に対して、一方向（白表示→黒表示）への書き込みを行なった。尚、本比較例においては図１８〜図２１で説明した駆動方法によって書き込みを行なった。書き込み時の泳動粒子の詳しい動作については、図１８〜図２１と同様であるので説明を省略する。
【０１１３】
以下、図２５（ａ）のタイムチャートに従って駆動方法を順に説明する。期間ＴＲにおいては、全走査電極ラインＳ１〜Ｓ３にＶｄ＝−５０Ｖ、全データ信号電極ラインＤ１〜Ｄ３に対してＶｃ＝０Ｖを印加し、全画素を白表示にリセットした。
【０１１４】
次に期間Ｔ１において選択ラインの走査信号電極ラインであるＳ１に対してＶｄ＝＋５０Ｖ、非選択ラインの走査信号電極ラインであるＳ２，Ｓ３に対してＶｄ＝＋５Ｖを印加し、選択画素（１，２）に相当する信号ラインＤ２に制御電圧Ｖｃ＝＋５０Ｖを、非選択画素（１，１），（１，３）に相当する信号電極ラインＤ１，Ｄ３にはＶｃ＝＋２５０Ｖを印加した。その結果、選択走査電極ラインＳ１の選択画素（１，２）のみが黒表示に書き換えられ、非選択画素（１，１），（１，３）、及び非選択走査電極ラインＳ２，Ｓ３における各画素では白表示が保持された。但し、非選択画素（１，１），（１，３）においてはＶｃ＝＋２５０Ｖによる泳動粒子の押え込みは不十分であり、図２２（ｃ）に示したように一部の泳動粒子が第２駆動電極側に移動してしまい、図２５（ｂ）に示すような灰色がかった表示になってしまった。
【０１１５】
以下、期間Ｔ２、Ｔ３において選択画素パターンに従って同様の駆動を行なった結果、目的の表示パターンが得られたが、白表示が全体的に灰色がかっており表示コントラストは劣悪であった。白表示と黒表示の平均的なコントラストは３：１程度であった。
【０１１６】
実施例２
本実施例では、実施例１で使用した３×３マトリックス表示セルにおいて、［単純マトリックス駆動方法２］によって双方向書き込みによる単純マトリックス駆動を行なった。
【０１１７】
表示セルは実施例１で用いたもの（平面図は図１４）と全く同様なので、セルの製造プロセスの説明は省略する。
以下、本実施例における駆動方法の説明を行なう。
【０１１８】
実施例１と同様、１データ信号電極ライン（Ｄ１１〜Ｄ１３）と第２駆動電極を第２データ信号電極ライン（Ｄ２１〜Ｄ２３）、第３駆動電極を走査信号電極ライン（Ｓ１〜Ｓ３）とした。
【０１１９】
図１６（ａ）に、各走査電極ライン及び信号電極ラインに印加した駆動電圧のタイムチャートを、図１６（ｂ）に各期間における表示状態の変化を示した。図１６における各期間（Ｔ１、Ｔ２、Ｔ３）は６０ｍｓｅｃである。また期間Ａは泳動粒子が第３駆動電極から離れ、第１駆動電極上、及び第２駆動電極上に移動するための期間であり、３０ｍｓｅｃ、期間Ｂは表示を第３駆動電極に転写する期間であり、３０ｍｓｅｃである。
【０１２０】
実施例１と同様に、双方向への書き込みが可能であるので、本実施例においては初期動作として全面リセットをする必要はない。初期表示パターンとして期間Ｔ０に示すパターンを与え、全画素を各走査電極ライン（Ｓ１〜Ｓ３）ごとに反転表示することとする。尚、本実施例においては図８および図９を用いて説明した［単純マトリックス駆動方法２］によって書き込みを行なったため、書き込み時の泳動粒子の詳しい動作については［単純マトリックス駆動方法２］と同様であり説明を省略する。
【０１２１】
以下、図１６（ａ）のタイムチャートに従って駆動方法を順に説明する。期間Ｔ１おいて、まず期間前半Ａでは選択走査電極ラインＳ１にＶｄ３＝＋６０Ｖ、非選択走査電極ラインＳ２，Ｓ３にＶｄ３＝−６０Ｖを印加し、白表示書き込み電圧として、画素（１，１）（１，３）に対応する第１データ信号電極ラインＤ１１，Ｄ１３にＶｄ１＝−３０Ｖ、及び第２データ信号電極ラインＤ２１，Ｄ２３にＶｄ２＝＋３０Ｖを印加し、また、黒表示書き込み電圧として、画素（１，２）に対応する第１データ信号電極ラインＤ１２にＶｄ１＝＋３０Ｖ、及び第２データ信号電極ラインＤ２２にＶｄ２＝−３０Ｖを印加した。その結果、選択走査電極ラインＳ１の全ての画素が書き換えられ反転表示された。続いて期間後半Ｂで選択走査電極ラインＳ１にＶｄ３＝−６０Ｖを印加し、書き換えられた表示を第３駆動電極５に転写した。また、この間非選択走査電極ラインＳ２，Ｓ３における各画素では初期表示状態が保持された。
【０１２２】
以下、期間Ｔ２，Ｔ３において同様の駆動を行なった結果、目的の反転表示パターンが良好なコントラストで得られ、また実施例１より短時間で表示を行なうことができた。得られた表示には、クロストーク現象、及び泳動粒子の移動不良、保持不良によるコントラストの劣化は一切認められず、白表示と黒表示の平均的なコントラストは１０：１程度の高い値を示した。
【０１２３】
実施例３
本実施例では、第２基板上に配置された第３駆動電極面に障壁１２を有する図１０に示したセル構成で、３×３マトリックス表示セルを作製し、双方向書き込みによる単純マトリックス駆動を行なった。
【０１２４】
作製した３×３マトリックス表示セルの平面図は図１４と同様である。実施例１と同様に１画素サイズは１ｍｍ×１ｍｍ、第１駆動電極３と第２駆動電極４の面積比２０：８０である。
【０１２５】
以下、図１４及び図１０を見ながら、セルの製造方法について簡単に説明する。
厚さ２００μｍのＰＥＴフィルムからなる第１基板１上に、まずアルミナなどの白色顔料を分散させたアクリル樹脂からなる絶縁層８を全面に形成した。次に第２駆動電極４としてＩＴＯを低温成膜し、フォトリソグラフィー及びドライエッチングにより図に示す形状にパターニングした。次に第１駆動電極３として暗黒色の炭化チタン膜を成膜し、同様にしてパターニングした。次に、全面にアモルファスフッ素樹脂からなる絶縁層８を２００ｎｍの厚さに形成した。この上に、隔壁１０を形成した。隔壁１０は、光感光性エポキシ樹脂を塗布した後、露光及びウエット現像を行うことによって形成し、７０μｍの高さとした。形成された隔壁内に絶縁性液体７及び黒色帯電泳動粒子６を充填した。
【０１２６】
続いて、ＰＥＴフィルムからなる第２基板２上に第３駆動電極５としてＩＴＯを低温成膜したのち、図に示す形状にパターニングし、さらに全面にアモルファスフッ素樹脂からなる絶縁層９を２００ｎｍの厚さに形成した。次に感光性エポキシ樹脂を塗布・露光・現像し、高さ３０μｍの障壁１２を形成した。
以下のプロセスは実施例１と全く同様であるので説明を省略する。
【０１２７】
実施例１と全く同様な駆動を行なったが、障壁１２により、目的の表示パターンがより良好なコントラストで得られた。また、表示パターンを第３駆動電極に転写する駆動電圧をＶｄ３＝−４５Ｖと低減することができた。得られた表示には、クロストーク現象、及び泳動粒子の移動不良、保持不良によるコントラストの劣化は一切認められず、白表示と黒表示の平均的なコントラストは１５：１程度の高い値を示した。
【０１２８】
実施例４
本実施例では、第２基板上に配置された第３駆動電極面に荷電膜を有する図１１に示したセル構成で、３×３マトリックス表示セルを作製し、双方向書き込みによる単純マトリックス駆動を行なった。
【０１２９】
作製した３×３マトリックス表示セルの平面図は図１４と同様である。実施例１と同様に１画素サイズは１ｍｍ×１ｍｍ、第１駆動電極３と第２駆動電極４の面積比２０：８０である。
【０１３０】
以下、図１４及び図１１を見ながら、セルの製造方法について簡単に説明する。
厚さ２００μｍのＰＥＴフィルムからなる第１基板１上に、まずアルミナなどの白色顔料を分散させたアクリル樹脂からなる絶縁層８を全面に形成した。次に第２駆動電極４としてＩＴＯを低温成膜し、フォトリソグラフィー及びドライエッチングにより図に示す形状にパターニングした。次に第１駆動電極４として暗黒色の炭化チタン膜を成膜し、同様にしてパターニングした。次に、全面にアモルファスフッ素樹脂からなる絶縁層８を２００ｎｍの厚さに形成した。この上に、隔壁１０を形成した。隔壁１０は、光感光性エポキシ樹脂を塗布した後、露光及びウエット現像を行うことによって形成し、７０μｍの高さとした。形成された隔壁内に絶縁性液体７及び黒色帯奄泳動粒子６を充填した。
【０１３１】
続いて、ＰＥＴフィルムからなる第２基板２上に第３駆動電極５としてＩＴＯを低温成膜したのち、図に示す形状にパターニングし、さらに全面にアモルファスフッ素樹脂からなる絶縁層９を２００ｎｍの厚さに形成した。
【０１３２】
次に荷電膜を形成した。荷電膜材料にはテフロン（Ｔｅｆｌｏｎ）−ＦＥＰを使用し、高熱下でのコロナ放電によってエレクトレット化処理を行なった。絶縁層をＡｒガスで５分間エッチングし、表面を粗すことによって表面の密着性を向上させた後、厚み５μｍのテフロン（Ｔｅｆｌｏｎ）−ＦＥＰ透明シートを重ね合わせ、その上にガラス基板を介して加重した状態で、３００℃に加熱しテフロン（Ｔｅｆｌｏｎ）−ＦＥＰ透明シートを溶融した後冷却することによって、電極上に厚み５μｍのテフロン（Ｔｅｆｌｏｎ）−ＦＥＰ膜を形成した。エレクトレット化処理のために、ＸＹＺ変位駆動機構に取り付けられたナイフエッジ電極と、テフロン（Ｔｅｆｌｏｎ）−ＦＥＰ膜及び電極膜の形成された基板を恒温槽内に設置した。ナイフエッジ電極が空隙を介してテフロン（Ｔｅｆｌｏｎ）−ＦＥＰ膜表面と対向するように配置し、両者の距離を２００μｍに調整した。恒温層内を３００℃に保持した状態で電極膜とナイフエッジ電極間に、ナイフエッジ電極側マイナスの方向に５ｋＶの電圧を印加し、電極間にコロナ放電を発生させた。ナイフエッジ電極に取り付けられたＸＹＺ変位駆動機構によって、ナイフエッジ電極を基板面と水平な方向に一定速度で往復変位させ、基板全面をコロナ放電で均一に照射しながら、ドライ窒素によって急冷し、エレクトレット化処理を終了した。得られた荷電膜は透明であり、表面電位を測定すると−２０Ｖであった。
以下のプロセスは実施例１と全く同様であるので説明を省略する。
【０１３３】
実施例１と全く同様な駆動を行なった結果、実施例１と同等の駆動時間で表示を行なうことができたことから荷電膜による吸着の駆動特性への影響は少ないことが確認され、そして、その荷電膜によって目的の表示パターンがより良好なコントラストで得られた。また、表示パターンを第３駆動電極に転写する駆動電圧をＶｄ３＝−４０Ｖと低減することができた。得られた表示には、クロストーク現象、及び泳動粒子の移動不良、保持不良によるコントラストの劣化は一切認められず、白表示と黒表示の平均的なコントラストは１３：１程度の高い値を示した。
【０１３４】
実施例５
本実施例では、図３に示したセル構成において、第１基板１がレッド、グリーン、ブルーそれぞれに着色された画素を３つ組み合わせてカラー表示を行なった。尚、１画素サイズは１ｍｍ×１ｍｍ、第１駆動電極と第２駆動電極の面積比２０：８０である。
【０１３５】
以下、図３（ａ）を見ながら、レッドセルの製造方法について簡単に説明する。
厚さ２００μｍのＰＥＴフィルムからなる第１基板１上に、まずレッドの顔料を分散させたアクリル樹脂からなる着色絶縁層１１を形成した。次に第１駆動電極３として暗黒色の炭化チタン膜を成膜し、フォトリソグラフィー及びドライエッチングにより図に示す形状にパターニングした。
【０１３６】
次にアモルファスフッ素樹脂を１００ｎｍの膜厚で塗布し、続いて第２駆動電極４としてＩＴＯ薄膜をマグネトロンスパッタ法よって低温成膜した。続いてレジスト膜を塗布し、図に示すような形状にパターンニング、最後にＣＦ4 及びＯ2 ガスによる反応性ドライエッチングを行ない、ＩＴＯからなる第２駆動電極４を形成した。次に、全面にアモルファスフッ素樹脂からなる絶縁層８を２００ｎｍの厚さに形成した。
以下のプロセスは実施例１と全く同様であるので説明を省略する。
【０１３７】
この製造したレッドセルによって図４および図５を用いた説明にあるように表示を行なった。まず、第１駆動電極３に駆動電圧Ｖｄ１＝−３０Ｖ、第２駆動電極４に駆動電圧Ｖｄ２＝＋３０Ｖを印加し、泳動粒子を第１駆動電極３上に移動させた。それに続いて、第３駆動電極５に駆動電圧Ｖｄ３＝−６０Ｖを印加し、第３駆動電極５に該泳動粒子６を静電力で吸着させた。この時、第２基板側からは透明な第２駆動電極４の下部に形成されたレッドの着色絶縁層１１が見えるため、レッド表示として見えた。
【０１３８】
次に、［書き換え方法１］により、再び表示を行なった。第１駆動電極３と第２駆動電極４に駆動電圧Ｖｄ１＝Ｖｄ２＝０Ｖ、第３駆動電極５に駆動電圧Ｖｄ３＝＋６０Ｖを印加することで第２基板２から泳動粒子６を離して第１基板側に移動させた。その後、第１駆動電極３に駆動電圧Ｖｄ１＝＋３０Ｖ、第２駆動電極４に駆動電圧Ｖｄ２＝−３０Ｖを印加して泳動粒子を第２駆動電極４上に移動させた。そして、再びＶｄ３＝−６０Ｖとして第２基板側に転写した。この時、第２基板側からは泳動粒子６の黒色と第１駆動電極３の暗黒色が見えるため、黒表示として見えた。表示の書き換えは５０ｍｓｅｃ以下で行なうことができた。
【０１３９】
次に、［書き換え方法２］により、再び表示を行なった。第３駆動電極５から泳動粒子６を離して第１基板側に移動させるために第３駆動電極５に駆動電圧Ｖｄ３＝＋６０Ｖを印加すると同時に、第１駆動電極３に駆動電圧Ｖｄ１＝−３０Ｖ、第２駆動電極４に駆動電圧Ｖｄ２＝＋３０Ｖを印加して第１駆動電極上に泳動粒子を移動させた。そして、それに続いて、第３駆動電極５に駆動電圧Ｖｄ３＝−６０Ｖを印加して第２基板側に転写した。この時、第２基板側からは透明な第２駆動電極４の下部に形成されたレッドの着色絶縁層１１が見えるため、レッド表示として見えた。表示の書き換えは３０ｍｓｅｃ以下で行なうことができ、［書き換え方法１］に比べて書き換えが速くなった。
【０１４０】
グリーンセルに関しては、ＰＥＴフィルムからなる第１基板１上に、グリーンの顔料を分散させたアクリル樹脂からなる着色絶縁層１１を形成し、その後のプロセスは、レッドセルと同様にして製造することができた。また、レッドセルと同様に表示を行ない、グリーン表示を行なうこともできた。
【０１４１】
ブルーセルに関しても、ＰＥＴフィルムからなる第１基板１上に、ブルーの顔料を分散させたアクリル樹脂からなる着色絶縁層１１を形成し、その後のプロセスは、レッドセルの製造方法と同様にして製造することができた。また、レッドセルと同様に表示を行ない、ブルー表示を行なうこともできた。
【０１４２】
この着色絶縁層１１をレッド、グリーン、ブルーの各色とした画素を３つ組み合わせて形成したところ、カラー表示を行なうことができた。図３（ａ）の構成のレッド画素、グリーン画素、ブルー画素を隣接して配置して、３画素を組み合わせて１画素を構成することによりカラー表示を実現することができる。
【０１４３】
【発明の効果】
以上、詳細に述べたように、本発明によって次のような効果が得られた。
第１に、非選択ラインでは、表示パターンを形成した泳動粒子を第３駆動電極に吸着させ、且つ泳動粒子は第１駆動電極及び第２駆動電極から遠ざかるため第１駆動電極及び第２駆動電極に印加された駆動電圧が切り換わったとしてもその電界変化の影響が受け難くなり、泳動粒子の移動による表示パターンの変化がなく、低電圧で泳動粒子の移動を禁止し保持することができるようになった。
【０１４４】
第２に、水平移動型電気泳動装置においてクロストーク現象の見られない、良好な表示コントラストが得られる単純マトリックス駆動が実現された。これは新規な駆動方法によって、従来問題であった、非選択画素内の泳動粒子のホールド不良によるクロストークの発生を、ほぼ完全に抑えこめたことによる。
【０１４５】
第３に、双方向の書き込み駆動ができるようになった。このため、初期全面リセットの必要がなく、また表示画面の一部分のみを書き換える部分書き換え駆動ができるようになった。
第４に、障壁あるいは荷電膜を形成することで表示パターンを第３駆動電極へ転写した状態において泳動粒子の移動を禁止し保持するための駆動電圧をさらに低減でき、そしてコントラストが向上した。
第５に、表示のカラー化を実現することも可能であった。
【図面の簡単な説明】
【図１】本発明の表示装置の代表的な一例を示す断面図である。
【図２】本発明の表示装置の代表的な一例を示す平面図である。
【図３】本発明の表示装置の代表的な他の例を示す断面図である。
【図４】本発明の表示装置の駆動方法及び動作状態の一例を示す図である。
【図５】図４の表示装置の駆動方法及び動作状態の他の部分を示す図である。
【図６】本発明の表示装置の単純マトリックス駆動法の一例を示す図である。
【図７】図６の表示装置の単純マトリックス駆動法の他の部分を示す図である。
【図８】本発明の表示装置の単純マトリックス駆動法の一例を示す図である。
【図９】図８の表示装置の単純マトリックス駆動法の他の部分を示す図である。
【図１０】本発明の表示装置の代表的な他の例を示す断面図である。
【図１１】本発明の表示装置の代表的な他の例を示す断面図である。
【図１２】本発明の表示装置の代表的な他の例を示す断面図である。
【図１３】本発明の表示装置の代表的な他の例を示す断面図である。
【図１４】本発明の実施例１において作成した３×３マトリックスを示す平面構成図である。
【図１５】本発明の実施例１で行なった駆動のタイムチャート及び表示パターンを示す図である。
【図１６】本発明の実施例２において作成した３×３マトリックスを示す平面構成図である。
【図１７】従来例における表示装置を示す断面図である。
【図１８】従来例における表示装置の駆動方法及び動作状態を示す図である。
【図１９】従来例における表示装置の駆動方法及び動作状態を示す図である。
【図２０】従来例における表示装置の単純マトリックス駆動法の一部を示す図である。
【図２１】図２０の従来例における表示装置の単純マトリックス駆動法の他の部分を示す図である。
【図２２】従来例における問題点を示す図である。
【図２３】他の従来例における問題点を示す図である。
【図２４】比較例として作製した３×３マトリックスを示す平面構成図である。
【図２５】比較例として行なった駆動のタイムチャート及び表示パターンを示す図である。
【符号の説明】
１  第１基板
２  第２基板
３  第１駆動電極
４  第２駆動電極
５  第３駆動電極
６  泳動粒子
７  透明絶縁性液体
８，９  絶縁層
１０  隔壁
１１  着色絶縁層
１２  障壁
１３  荷電膜
１４  制御電極
１５  ステップ
２２  段差
【図１】
0003667242.tif 000002
【図２】
0003667242.tif 000003
【図３】
0003667242.tif 000004
【図４】
0003667242.tif 000005
【図５】
0003667242.tif 000006
【図６】
0003667242.tif 000007
【図７】
0003667242.tif 000008
【図８】
0003667242.tif 000009
【図９】
0003667242.tif 000010
【図１０】
0003667242.tif 000011
【図１１】
0003667242.tif 000012
【図１２】
0003667242.tif 000013
【図１３】
0003667242.tif 000014
【図１４】
0003667242.tif 000015
【図１５】
0003667242.tif 000016
【図１６】
0003667242.tif 000017
【図１７】
0003667242.tif 000018
【図１８】
0003667242.tif 000019
【図１９】
0003667242.tif 000020
【図２０】
0003667242.tif 000021
【図２１】
0003667242.tif 000022
【図２２】
0003667242.tif 000023
【図２３】
0003667242.tif 000024
【図２４】
0003667242.tif 000025
【図２５】
0003667242.tif 000026